(57)【要約】【課題】卵の内容物による汚染等が生じた場合に取り扱いの簡単な卵の保護搬送トレイを提供する。【解決手段】卵Ｅの胴体径より大きな径を有する円形の平面投影外形を有した卵の保護搬送トレイ１であって、卵Ｅの長軸を略鉛直にして中心部に卵Ｅが載置されるトレイ本体部２と、トレイ本体部２の下端２３に取り付けられたベース部３と、トレイ本体部２内の空間、またはトレイ本体部２が取り付けられたベース部３とトレイ本体部２により形成される空間に、収容された卵Ｅから漏れる内容物を溜めておく貯留部４とを備える。トレイ本体部２は、ベース部３に対して着脱可能なものである。【選択図】図２
2020011745.tif 000002
【特許請求の範囲】
【請求項１】
卵の胴体径より大きな径を有する円形の平面投影外形を有した卵の保護搬送トレイであって、
卵の長軸を略鉛直にして中心部に卵が載置されるトレイ本体部と、
前記トレイ本体部の下端に取り付けられたベース部と、
前記トレイ本体部内の空間、または前記トレイ本体部が取り付けられたベース部とトレイ本体部により形成される空間に、収容された卵から漏れる内容物を溜めておく貯留部とを備え、
前記トレイ本体部が、ベース部に対して着脱可能なものである卵の保護搬送トレイ。
【請求項２】
前記卵の保護搬送トレイと同一形状をなす卵の保護搬送トレイを上下方向に積み重ねた際に、
一の卵の保護搬送トレイは、一の卵の保護搬送トレイの直下に位置する他の卵の保護搬送トレイの上端部が潜り込む空間を備えたものである請求項１記載の卵の保護搬送トレイ。
【請求項３】
前記ベース部は、識別情報を記憶するＲＦＩＤタグを備える請求項１または２記載の卵の保護搬送トレイ。
【請求項４】
前記トレイ本体部は、透明な材料で作られる請求項１、２または３記載の卵の保護搬送トレイ。
【請求項５】
卵の胴体径より大きな径を有する円形の平面投影外形を有した卵の保護搬送トレイであって、
透明な材料で作られ、卵の長軸を略鉛直にして中心部に卵が載置されるトレイ本体部と、
前記トレイ本体部の下端に設けられたベース部と、
前記トレイ本体部内の空間、またはベース部とトレイ本体部とにより形成される空間に、収容された卵から漏れる内容物を溜めておく貯留部とを備える卵の保護搬送トレイ。
【発明の詳細な説明】
【技術分野】
【０００１】
本発明は、卵の保護搬送トレイに関するものである。
【背景技術】
【０００２】
卵の保護搬送トレイの一例として、個別に移動可能な容器に１個ずつ卵が入れられた状態で、配列され、重量が測られ、サイズ別に分類されるものが知られている（例えば、特許文献１を参照）。ここで示された容器は、卵を収容する容器内に入った卵に割れが生じていると、卵の内容物が容器から流出して、容器を搬送するコンベヤ等を汚してしまうことがあった。そのため、特許文献２のように、容器の内部に、収容された卵から漏れる内容物を溜めておく貯留部を備えたものも考えられていた。
【先行技術文献】
【特許文献】
【０００３】
【特許文献１】特開昭５９−１６７４０４号公報
【特許文献２】実開昭６２−１９４５０８号公報
【発明の概要】
【発明が解決しようとする課題】
【０００４】
内容物によって汚染された容器は、次に使用する前に洗浄することが好ましいが、確実に汚れを落とすのが難しい場合もある。
【０００５】
本発明は、卵の内容物による汚染等が生じた場合に取り扱いの簡単な卵の保護搬送トレイを提供することを目的としている。
【課題を解決するための手段】
【０００６】
本発明の卵の保護搬送トレイは、卵の胴体径より大きな径を有する円形の平面投影外形を有したものであって、卵の長軸を略鉛直にして中心部に卵が載置されるトレイ本体部と、トレイ本体部の下端に取り付けられたベース部と、トレイ本体部内の空間、またはトレイ本体部が取り付けられたベース部とトレイ本体部により形成される空間に、収容された卵から漏れる内容物を溜めておく貯留部とを備え、トレイ本体部が、ベース部に対して着脱可能なものである。
【０００７】
また、本発明の他の卵の保護搬送トレイは、卵の胴体径より大きな径を有する円形の平面投影外形を有したものであって、透明な材料で作られ、卵の長軸を略鉛直にして中心部に卵が載置されるトレイ本体部と、トレイ本体部の下端に設けられたベース部と、トレイ本体部内の空間、またはベース部とトレイ本体部とにより形成される空間に、収容された卵から漏れる内容物を溜めておく貯留部とを備える。
【発明の効果】
【０００８】
本発明によれば、卵の内容物による汚染等が生じた場合に取り扱いの簡単な卵の保護搬送トレイを提供できる。
【０００９】
この発明の上記および他の目的、特徴、局面および利点は、添付の図面と関連して理解されるこの発明に関する次の詳細な説明から明らかとなるであろう。
【図面の簡単な説明】
【００１０】
【図１】本発明の一実施形態にかかる卵の保護搬送トレイを用いた卵の選別包装システムを示す平面図である。
【図２】同実施形態にかかる卵の保護搬送トレイを中央で切断した切断部端面図である。
【図３】本発明の変形例にかかる卵の保護搬送トレイを中央で切断した切断部端面図である。
【図４】本発明の他の変形例にかかる卵の保護搬送トレイを中央で切断した切断部端面図である。
【発明を実施するための形態】
【００１１】
以下、本発明の一実施形態について、図を用いて説明する。本実施形態では、本発明の卵の保護搬送トレイ１を卵の選別包装システムＳに適用した場合について説明する。
【００１２】
卵の選別包装システムＳは、卵供給コンベヤ５と、トレイ供給コンベヤ６と、卵Ｅの姿勢を変える姿勢変更部７と、卵の保護搬送トレイ１上に卵Ｅが収容された状態で搬送する卵入りトレイ搬送コンベヤ８とを備える。
【００１３】
卵供給コンベヤ５は、ローラ（図示しない）を主体に構成されたものである。卵供給コンベヤ５上の卵Ｅは、６列に並べられた状態で、汚れやひびの有無が検査される。卵供給コンベヤ５の下流側の端部に、姿勢変更部７が設けられている。
【００１４】
トレイ供給コンベヤ６は、空の卵の保護搬送トレイ１を搬送する。トレイ供給コンベヤ６は、姿勢変更部７に向けて卵の保護搬送トレイ１を搬送する。トレイ供給コンベヤ６上の卵の保護搬送トレイ１は、６列に並べられ、上方に開口された状態で搬送される。トレイ供給コンベヤ６は、卵供給コンベヤ５の下方に位置しており、卵供給コンベヤ５の端部から姿勢変更部７を介して落下する卵Ｅを受け取る。
【００１５】
姿勢変更部７は、卵供給コンベヤ５の端部に設けられている。姿勢変更部７は、卵供給コンベヤ５で搬送される横向きの状態から、縦向きの状態に姿勢を変える。姿勢変更部７で姿勢が変更された卵Ｅは、トレイ供給コンベヤ６で搬送された空の卵の保護搬送トレイ１の上方から収容される。
【００１６】
卵入りトレイ搬送コンベヤ８は、計量部８１と、検査部８２と、分配部８３と、整列部８４とを備える。本実施形態では、各卵の保護搬送トレイ１の下面との間の摩擦力を用いて、個別の卵の保護搬送トレイ１を移動可能なベルトコンベヤである。卵入りトレイ搬送コンベヤ８は、トレイ供給コンベヤ６に接続している。
【００１７】
計量部８１は、卵Ｅの重量を計測する。計量部８１は、卵Ｅが卵の保護搬送トレイ１に載った状態で計測され、先に別の場所で計測された卵の保護搬送トレイ１の重量が差し引かれる。卵Ｅの重量データは、卵入りトレイ搬送コンベヤ８に設けられた情報書き込み部８５を介して、後述する卵の保護搬送トレイ１のＲＦＩＤタグ３１に書き込まれる。
【００１８】
検査部８２は、卵Ｅの内部異常を検査する。検査部８２は、卵Ｅが卵の保護搬送トレイ１に載った状態で検査される。具体的には、卵Ｅに向けて光が照射され、受光部（図示しない）から得られた情報により血卵か否かを判断する。卵Ｅの内部異常データは、卵入りトレイ搬送コンベヤ８に設けられた情報書き込み部８６を介して、後述する卵の保護搬送トレイ１のＲＦＩＤタグ３１に書き込まれる。
【００１９】
分配部８３は、卵Ｅをグループごとに分ける。分配部８３は、卵Ｅが卵の保護搬送トレイ１に載った状態でグループ分けされる。具体的には、卵Ｅの重量に基づくサイズ別に異なる場所に振り分けられる。
【００２０】
整列部８４は、グループごとに集まった卵Ｅを、例えば２列に並べる。この状態で、移載装置（図示しない）を用いて卵Ｅを卵の保護搬送トレイ１から卵パック（図示しない）に移し替える。
【００２１】
次に、本実施形態で用いられる卵の保護搬送トレイ１について説明する。
【００２２】
卵の保護搬送トレイ１は、トレイ本体部２と、ベース部３と、貯留部４とを備える。卵の保護搬送トレイ１は、卵Ｅの胴体径より大きな径を有する円形の平面投影外形を有する。本実施形態の卵の保護搬送トレイ１は、トレイ本体部２が、ベース部３に対して着脱可能なものである。
【００２３】
トレイ本体部２は、卵Ｅの長軸を略鉛直にして中心部に卵Ｅが載置される。トレイ本体部２は、透明な材料で作られたものである。トレイ本体部２は、透光性を有する。トレイ本体部２は、例えば、卵パックに準じた素材および形状を有するものである。トレイ本体部２は、プラスチック製のものであり、薄肉状の軽量なもので、柔軟性を有する。トレイ本体部２は、卵Ｅを収容する空間を形成する空間形成部分２１と、この空間形成部分２１の上端部から連続して下方に延びる接続部分２２とを備える。
【００２４】
ベース部３は、トレイ本体部２の下端２３に取り付けられる。ベース部３は、上面側の縁部に、トレイ本体部２の下端２３を取り付けるための取り付け部３２が設けられている。ベース部３は、ベルトコンベヤ上で移動する際に、卵Ｅが載ったトレイ本体部２が安定して搬送されるような重量を有したものである。ベース部３は、トレイ本体部２とは異なる材料で作られている。ベース部３は、トレイ本体部２とは異なる色を有している。ベース部３は、識別情報を記憶するＲＦＩＤタグ３１を備える。ＲＦＩＤタグ３１は、非接触で情報を読み書き可能なものであり、ベース部３の中心部に埋め込まれている。なお、ＲＦＩＤタグ３１には、卵Ｅの重量データ、卵Ｅの内部異常データの他に、鶏舎に関する情報、鶏種情報、鶏の日齢情報などが書き込まれる。
【００２５】
貯留部４は、収容された卵Ｅから漏れる内容物を溜めておく。貯留部４は、トレイ本体部２内の空間、より具体的には、空間形成部分２１の底２４に形成されている。
【００２６】
以上に説明したように、本実施形態の卵の保護搬送トレイ１は、卵Ｅの胴体径より大きな径を有する円形の平面投影外形を有したものである。卵の保護搬送トレイ１は、トレイ本体部２と、ベース部３と、貯留部４とを備える。トレイ本体部２は、卵Ｅの長軸を略鉛直にして中心部に卵Ｅが載置される。ベース部３は、トレイ本体部２の下端２３に取り付けられる。ベース部３は、トレイ本体部２とは異なる材料で作られている。貯留部４は、トレイ本体部２内の空間に、収容された卵Ｅから漏れる内容物を溜めておく。そして、トレイ本体部２は、ベース部３に対して着脱可能なものである。
【００２７】
このようなものであるため、卵Ｅの内容物による汚染等が生じた場合には、トレイ本体部２をベース部３から取り外し、新たなトレイ本体部２をベース部３に取り付ければよい。そのため、汚れやすい卵の保護搬送トレイ１の取り扱いを容易にすることができる。
【００２８】
ベース部３は、識別情報を記憶するＲＦＩＤタグ３１を備えるので、卵Ｅに関する情報を１個ずつ個別に管理できる。また、ＲＦＩＤタグ３１は、ベース部３に備えられているので、卵Ｅの内容物の漏れによる汚れ付着の心配がなく、複数回利用することができる。
【００２９】
トレイ本体部２は、透明な材料で作られるので、トレイ本体部２を光が横切るように検査部８２の投光器および受光器を配置することができる。汚れたトレイ本体部２は、ベース部３から取り外せばよいので、汚れが検査結果に支障をきたすことがない。
【００３０】
また、本実施形態の卵の保護搬送トレイ１は、卵Ｅの胴体径より大きな径を有する円形の平面投影外形を有したもので、トレイ本体部２と、ベース部３と、貯留部４とを備える。トレイ本体部２は、透明な材料で作られ、卵Ｅの長軸を略鉛直にして中心部に卵Ｅが載置される。ベース部３は、トレイ本体部２の下端２３に設けられる。貯留部４は、トレイ本体部２内の空間に、収容された卵Ｅから漏れる内容物を溜めておく。このようなものであるため、卵の保護搬送トレイ１に卵Ｅを入れた状態で透光検査を行いやすい。
【００３１】
なお、本発明は上述した実施形態に限られない。
【００３２】
卵の保護搬送トレイ１の他の例としては、図３に示すようなものが挙げられる。この卵の保護搬送トレイ１は、上述した実施形態のものと異なり、積み重ねることが可能である。すなわち、この卵の保護搬送トレイ１は、トレイ本体部２と、ベース部３と、貯留部４とを備え、卵の保護搬送トレイ１と同一形状をなす卵の保護搬送トレイ１を上下方向に積み重ねた際に、一の卵の保護搬送トレイ１は、一の卵の保護搬送トレイ１の直下に位置する他の卵の保護搬送トレイ１の上端部が潜り込む空間Ａ１を備える。ベース部３は、平面視円環状に形成されている。
【００３３】
卵の保護搬送トレイ１のさらに他の例としては、図４に示すようなものが挙げられる。この卵の保護搬送トレイ１は、上述した実施形態のものと異なり、貯留部４がベース部３の上方に形成される。すなわち、この卵の保護搬送トレイ１は、トレイ本体部２と、ベース部３と、貯留部４とを備え、貯留部４は、トレイ本体部２が取り付けられたベース部３とトレイ本体部２により形成される空間Ａ２に、収容された卵Ｅから漏れる内容物を溜めておくものである。トレイ本体部２は、複数のヘラ状の支持部材によって卵Ｅを支持するもので、各支持部材の先端部が集まる部分が上下方向に開口している。すなわち、複数枚の支持部材により空間形成部分２１が形作られている。
【００３４】
ベース部３は、上下方向に光が通過可能な貫通穴または透明部材を備えていてもよい。また、ＲＦＩＤタグ３１は、ベース部３のどの部分に取り付けられてもよい。
【００３５】
トレイ本体部２をベース部３に対して着脱可能にする構成は、図示したものに限られず、どのようなものであってもよい。
【００３６】
卵の保護搬送トレイが用いられる卵の選別包装システムは、図示したものには限られず、種々変更可能である。すなわち、卵供給コンベヤ、トレイ供給コンベヤ、卵入りトレイ搬送コンベヤの配置やそれぞれの構造は、どのようなものであってもよい。
【００３７】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００３８】
本発明は、卵の内容物による汚染等が生じた場合に取り扱いの簡単な卵の保護搬送トレイに利用することができる。
【符号の説明】
【００３９】
Ｅ…卵
１…卵の保護搬送トレイ
２…トレイ本体部
３…ベース部
３１…ＲＦＩＤタグ
４…貯留部
Ａ１…空間
【図１】
2020011745.tif 000003
【図２】
2020011745.tif 000004
【図３】
2020011745.tif 000005
【図４】
2020011745.tif 000006